(57)【要約】【課題】  本発明は、常に高さを自由に調整せしめつつ強固に、しかも容易に設置することが出来るのみならず、構造的に制約を受けることなく常に配線に必要な最小限の低床式二重床を構築することが出来る、二重床用パネルの支持脚、および二重床用パネルのボ−ダ−部用支持脚を提供するものである。【解決手段】二重床用パネルの支持脚１は、建造物の床躯体１５上に載置自在とされた支持脚本体２と、該支持脚本体２上に載置自在とされた台座６と、該台座６上に螺着自在とされたパネル押え部材１０とよりなり、上記支持脚本体２は所要数の板状支持脚部材３を高さ調整自在に積重せしめて構成されている。また、二重床用パネルのボ−ダ−部用支持脚１８は、支持脚部材３を所要の高さに着脱自在に積重して二重床用パネルのボ−ダ−部１７を支持せしめるべく構成されている。【選択図】図１
2016089489.tif 000002
【特許請求の範囲】
【請求項１】
建造物の床躯体上に載置自在とされた支持脚本体と、該支持脚本体上に載置自在とされ
た台座と、該台座上に螺着自在とされたパネル押え部材とよりなり、上記支持脚本体は所
要数の板状支持脚部材を高さ調整自在に積重せしめて構成されてなることを特徴とする、
二重床用パネルの支持脚。
【請求項２】
上記支持脚部材は嵌合状に着脱自在に積重せしめるべく略逆皿状に形成されると共に、
該支持脚部材に嵌合載置せしめるべく台座の下面には球面状の凹部が形成されてなること
を特徴とする、請求項１記載の二重床用パネルの支持脚。
【請求項３】
少くとも上記支持脚本体および台座が合成樹脂材により形成されてなることを特徴とす
る、請求項１または２記載の二重床用パネルの支持脚。
【請求項４】
請求項１または３記載の支持脚部材を所要の高さに着脱自在に積重して二重床用パネル
のボ−ダ−部を支持せしめるべく構成されてなることを特徴とする、二重床用パネルのボ
−ダ−部用支持脚。
【発明の詳細な説明】
【技術分野】
【０００１】
本発明は、特に低床式二重床に好適な二重床用パネルの支持脚、および二重床用パネル
のボ−ダ−部用支持脚に関する。
【背景技術】
【０００２】
従来より、建造物における低床式二重床は、通常の二重床に比べて天井の高さを高くし
、スペ−スの有効利用を図ることが出来るため、近年とみに注目されている。  
【０００３】
ところで、かかる低床式二重床を構成する二重床用パネルの支持脚としては、例えば、
建造物の床躯体上に載置自在とされた下台座と、該下台座上に立設された所要高のネジ軸
と、該ネジ軸に螺合自在とされたネジスリ−ブ付き上台座と、該上台座上にパネルを載置
支持せしめるパネル押え部材とにより構成された基本構成を有するものが知られている 
（特許文献１、特許文献２参照）。
そして、上述のごとく構成された従来の支持脚は、上台座を下台座上のねじ軸にネジス
リ−ブを介して螺合せしめつつ所要の高さに調整せしめたのち、上台座上に二重床用パネ
ルの四隅をパネル押え部材でもって載置支持せしめ、低床式二重床を構築せしめるもので
ある。  
【０００４】
また、二重床を構成する二重床用パネルのボ−ダ−部用支持脚としては、例えば、建造
物の床躯体上に載置自在とされた下台座と、該下台座上に立設された所要高のネジ軸と、
該ネジ軸に螺合自在とされたネジスリ−ブ付き上台座とにより構成された基本構成を有す
るものが知られている（特許文献３参照）。
そして、上述のごとく構成された従来の支持脚は、上台座を下台座上のネジ軸にネジス
リ−ブを介して螺合せしめつつ所要の高さに調整せしめたのち、上台座上に二重床用パネ
ルのボ−ダ−部を載置支持せしめ、低床式二重床のボ−ダ−部を構築せしめるものである
。
【先行技術文献】
【特許文献】
【０００５】
【特許文献１】特開平７−１９７６２８号公報
【特許文献２】特開平７−１９７６２９号公報
【特許文献３】特開平１０−２１２８１７号公報（段落番号：０００９、図１０）
【発明の概要】
【発明が解決しようとする課題】
【０００６】
ところで、上記特許文献１〜３記載の支持脚は、上台座を下台座上のネジ軸にネジスリ
−ブを介して螺合せしめつつ所要の高さに調整支持せしめることが出来るもので、常に高
さ調整範囲が広く、低床化が可能であり、しかも、高さ調整作業を容易に行なうことが出
来るものである。   
しかしながら、上記特許文献１〜３記載の支持脚は、その構成上、自ずと低床化に制約
され、あまり低床化を図ることが出来ないものである。例えば、配線に必要な最小限の低
床である４０ｍｍ〜５０ｍｍの高さに低床化しようとすれば、それに見合ってネジ軸の高
さ、およびネジスリ−ブの長さを短くしなければならないものである。このように、ネジ
軸の高さを低くすると、該ネジ軸とネジスリ−ブとの螺合部分が短くなり、ひいては、床
パネルの支持が不安定となると共に、強度が不足し、安全性の面において問題があるもの
である。また、ネジ軸とネジスリ−ブの螺合部分が短いと高さの調整代も短くなると共に
、高さ調整範囲も小さくなってしまうものである。
【０００７】
本発明は、従来例の課題を解決し、常に高さを自由に調整せしめつつ強固に、しかも容
易に設置することが出来るのみならず、構造的に制約を受けることなく常に配線に必要な
最小限の低床式二重床を構築することが出来る、二重床用パネルの支持脚、および二重床
用パネルのボ−ダ−部用支持脚を提供しようとするものである。
【課題を解決するための手段】
【０００８】
上記の課題を解決するため、本発明の請求項１記載の発明は、建造物の床躯体上に載置
自在とされた支持脚本体と、該支持脚本体上に載置自在とされた台座と、該台座上に螺着
自在とされたパネル押え部材とよりなり、上記支持脚本体は所要数の板状支持脚部材を高
さ調整自在に積重せしめて構成されてなることを特徴とする、二重床用パネルの支持脚を
要旨とするものである。
【０００９】
本発明の請求項２記載の発明は、上記支持脚部材は嵌合状に着脱自在に積重せしめるべ
く略逆皿状に形成されると共に、該支持脚部材に嵌合載置せしめるべく台座の下面には球
面状の凹部が形成されてなることを特徴とする、請求項１記載の二重床用パネルの支持脚
を要旨とするものである。
【００１０】
本発明の請求項３記載の発明は、少くとも上記支持脚本体および台座が合成樹脂材によ
り形成されてなることを特徴とする、請求項１または２記載の二重床用パネルの支持脚を
要旨とするものである。
【００１１】
本発明の請求項４記載の発明は、請求項１または３記載の支持脚部材を所要の高さに着
脱自在に積重して二重床用パネルのボ−ダ−部を支持せしめるべく構成されてなることを
特徴とする、二重床用パネルのボ−ダ−部用支持脚を要旨とするものである。
【発明の効果】
【００１２】
本発明の請求項１記載の発明は、上述のように構成されているから、所要数の板状支持
脚部材を高さ調整自在に積重せしめつつ、支持脚本体を所要の高さに形成せしめると共に
、支持脚本体上に台座を載置して二重床用パネルを載置し、パネル押え部材でもって載置
支持せしめることが出来るものであって、常に支持脚部材でもって支持脚本体の高さを自
由に調整せしめつつ強固に、しかも、容易に設置せしめることが出来るものである。しか
も、本発明は、ネジ機構を用いて高さを調整せしめる従来例に比して、構造的に何等制約
を受けることなく常に配線に必要な最小限の低床式二重床を容易に、しかも、迅速かつ確
実に構築することが出来るものである。   
【００１３】
本発明の請求項２記載の発明は、上述のように構成されているから、所要数の支持脚部
材を嵌合せしめつつ所要の高さに積重せしめて支持脚本体を所要の高さに調整せしめると
共に、支持脚本体上に台座を嵌合状に載置せしめることが出来るものであって、常に支持
脚部材でもって支持脚本体の高さを自由に、しかも、容易かつ強固に形成せしめることが
出来るものである。しかも、支持脚部材は略逆皿状に形成されているから、建造物の床躯
体上に載置せしめるさいにはその下面外周縁のみを接地せしめつつ載置せしめることが出
来るものであって、例え床躯体上に不陸を生じている場合においても、別途不陸調整する
ことなく確実に載置せしめることが出来るものである。
【００１４】
本発明の請求項３記載の発明は、上述のように構成されているから、支持脚本体を構成
する支持脚部材のみならず台座は本来的にある程度の弾性変形して振動を吸収することが
出来るものであって、常に床躯体に伝わる振動が固体音として二重床用パネルの床面から
放射されるのを有効に防止することが出来るものである。
【００１５】
本発明の請求項４記載の発明は、上述のように構成されているから、所要数の支持脚部
材を高さ調整自在に積重せしめるという簡単な操作でもって、ボ−ダ−部用支持脚を所要
の高さに容易に、しかも、容易かつ強固に形成せしめることが出来るのみならず、不陸調
整することなく建造物の床躯体上に確実に載置せしめることが出来るものである。さらに
、ボ−ダ−部用の支持脚と二重床用の支持脚は、同一構成の支持脚部材により形成するも
のとされているから、製造時における工程管理、保管時の在庫管理、出荷時の積込作業、
および施工現場での部材管理などを簡素化し、効率よく行なうことが出来るものである。
【図面の簡単な説明】
【００１６】
【図１】本発明の一実施例を示す分解斜視図である。
【図２】実施例の支持脚部材３を示す底面図である。
【図３】実施例の台座６を示す底面図である。
【図４】二重床用パネル１６を載置せしめた使用状態を示す垂直断面図である。
【図５】二重床用パネル１６のボ−ダ−部１７を載置せしめた使用状態を示す垂直断面図である。
【発明を実施するための形態】
【００１７】
以下に、本発明を実施するための形態を図面に示す一実施例に基づいて説明する。
【００１８】
図１〜図５は本発明の一実施例を示すもので、同図中、１は後記する建造物の床躯体１
５上に載置自在とされた二重床用パネル１６の支持脚で、該支持脚１は若干弾性変形自在
なポリプロピレンやＡＢＳ樹脂などの合成樹脂材により形成されている。２は該支持脚１
を構成する支持脚本体、３は該支持脚本体２を構成する略逆浅皿状とされた所要の厚さを
有する方形格子枠状の支持脚部材、４・５は該支持脚部材３の上下面に各々対向状に形成
された係合突起と係合孔で、支持脚部材３は該係合突起４と係合孔５を係合せしめつつ上
下に嵌合して積重せしめ、所要の高さに調整して支持脚本体２を構成するものとされてい
る。６は上記支持脚本体２上に載置自在とされた略方形体の台座、７は該台座６の中心に
突設されたネジ孔、８は上記支持脚部材３の外表面に嵌合載置せしめるべく台座６の下面
に形成された球面状の凹部、９は係合突起４に係合せしめるべく該凹部８に形成された係
合孔である。１０は後記する二重床用パネル１６を台座６上に載置支持せしめるパネル押
え部材で、該パネル押え部材１０は台座６のネジ孔７に螺合自在とされたネジ軸１１と、
該ネジ軸１１上に形成された略円形状の頭部１２とより構成され、該頭部１２の上面には
コインや締結工具の先部を差し込むマイナス形の溝１３と六角状の孔１４が各々形成され
ている。
【００１９】
その他、１５は建造物の床躯体、１６は二重床用パネル、１７は該二重床用パネル１６
のボ−ダ−部、１８は該ボ−ダ−部１７を支持せしめるボ−ダ−部用支持脚で、該支持脚
１８は上記所要数の支持脚部材３を嵌合状に着脱自在に積重して所要の高さに形成されて
いる。     
【００２０】
次に、上述の如く構成された支持脚１は、低床式二重床を構築せしめるべく所要の高さ
に調整せしめる。即ち、先ず、係合突起４を係合孔５に係合せしめつつ、所要数の支持脚
部材３を順次嵌合状に積重して所定の高さに調整せしめ、支持脚本体２を形成せしめると
共に、係合突起４と係合孔９を係合せしめて支持脚本体３上に台座６を載置支持せしめる
。しかるのち、台座６を載置支持せしめた支持脚本体２を建造物における床躯体１５上の
所定個所に載置せしめると共に、台座６上に二重床用パネル１６の四隅を各々載置せしめ
つつ、ネジ軸１１をネジ孔７に螺合してパネル押え部材１０により押圧支持せしめ、低床
式二重床を構築せしめるものである（図４参照）。
【００２１】
このさい、支持脚本体２は所要数の支持脚部材３を嵌合状に積重して高さ調整せしめつ
つ所要の高さに形成せしめると共に、台座６およびパネル押え部材１０を介して二重床用
パネル１６を載置して押圧支持せしめるものであるから、常に支持脚部材３でもって支持
脚本体２の高さを自由に調整せしめつつ強固に、しかも容易に設置せしめることが出来る
のみならず、ネジ機構を介して高さを調整せしめる従来例に比して、構造的に何等の制約
を受けることなく常に配線に必要な最小限の低床式二重床を容易に、しかも、迅速かつ確
実に構築せしめることが出来るものである。また、支持脚部材３は略逆浅皿状に形成され
ているから、床躯体１５上に載置せしめるさいにはその下面外周縁のみを接地せしめつつ
載置せしめることが出来るものであって、例え床躯体１５上に不陸がある場合においても
別途不陸調整せしめることなく確実に載置せしめることが出来るものである。さらに、支
持脚１は本来的に若干弾性変形して振動を吸収する合成樹脂材により形成されているから
、常に床躯体１５を伝わる振動が固体音として二重床用パネル１６の床面から放射される
のを有効に防止することが出来るものである。
【００２２】
更に、前述の如く構成された二重床用パネル１６のボ−ダ−部用支持脚１８は、低床式
二重床のボ−ダ−部１７を構築せしめるべく所要の高さに調整せしめる。即ち、先ず、係
合突起４を係合孔５に係合せしめつつ、所要数の支持脚部材３を順次嵌合状に積重して所
定の高さに調整せしめ、ボ−ダ−部用支持脚１８を形成せしめる。しかるのち、支持脚１
８を床躯体１５のボ−ダ−個所に載置せしめたのち、支持脚１８上に二重床用パネル１６
のボ−ダ−部１７を載置支持せしめ、低床式二重床を構築せしめるものである（図５参照
）。  
【００２３】
このさい、支持脚１８は支持脚部材３でもって高さを調整せしめつつ所要の高さに容易
に、しかも、確実に形成することが出来るものであって、構造的に何等の制約を受けるこ
となく配線に必要な最小限の低床式二重床を構築せしめることが出来るなど、前記支持脚
１とほぼ同様の効果を奏するものである。さらに、ボ−ダ−部用の支持脚１８と二重床用
の支持脚１は、同一構成の支持脚部材３により形成するものとされているから、製造時に
おける工程管理、保管時の在庫管理、出荷時の積込作業、および施工現場での部材管理な
どを簡素化し、効率よく行なうことが出来るものである。
【００２４】
なお、上記実施例において、支持脚本体３・支持脚１８を構成する支持脚部材３は所要
の厚さを有する単一種とされているが、これに限定されるものではなく、厚みの異なる数
種の支持脚部材を形成せしめ、必要に応じて適宜組み合わせ使用してもよく、また、方形
格子枠状とされているが、方形板状に形成せしめてもよいものである。さらに、支持脚１
・１８は各々低床式二重床を構築せしめるものとされているが、これに限定されるもので
はなく、中床式二重床など所要の二重床の構築にも適用せしめることが出来るものである
。
【符号の説明】
【００２５】
１  支持脚
２  支持脚本体
３  支持脚部材
４  係合突起
５  係合孔
６  台座
８  凹部
９  係合孔
１０  パネル押え部材
１５  床躯体
１６  二重床用パネル
１７  ボ−ダ−部
１８  支持脚
【図１】
2016089489.tif 000003
【図２】
2016089489.tif 000004
【図３】
2016089489.tif 000005
【図４】
2016089489.tif 000006
【図５】
2016089489.tif 000007